(57)【要約】【課題】飲料容器用栓体の外付けカバーに設けられた飲み口に唇を付けて飲料を摂取するとき、外付けカバーにヒンジを介して装着された蓋で視界を邪魔され難くする。【解決手段】上面視で考えて飲料流路２の出口５のうち回転中心ＣＬ１に沿った方向の一端Ｐ１側から飲料を摂取可能とし、飲料流路２を上面視で考えて出口５の一端側に飲料を導く形態に設け、外付けカバー３にハンドル１７を設ける等により、出口５の一端Ｐ１側から外側に飲み口６に唇を付けるように使用方向を制限し、飲料を摂取するときに視界の左右中央で蓋４と面することをなくした。【選択図】図１
2010168059.tif 000002
【特許請求の範囲】
【請求項１】
容器内と外部間に通じる飲料流路を設けられた外付けカバーと、前記外付けカバーにヒンジを介して装着された蓋とを備え、
前記外付けカバーは、上面に開放された前記飲料流路の出口から外側に連続する飲み口を設けられており、
前記蓋は、前記外付けカバーに設けられた蓋係止部により前記出口及び前記飲み口を覆った閉位置に留められ、前記外付けカバーに設けられた回り止めにより前記出口及び前記飲み口の上方から外れた開放位置に留められる飲料容器用栓体において、
上面視で考えて前記出口のうち前記蓋の回転中心に沿った方向の端側から飲料を摂取可能であり、かつ前記出口の端側から前記飲み口に唇を付けるように使用方向を制限する構造に設けられていることを特徴とする飲料容器用栓体。
【請求項２】
前記飲料流路は、上面視で考えて前記出口の前記回転中心に沿った方向の一端側に飲料を導く形態に設けられている請求項１に記載の飲料容器用栓体。
【請求項３】
前記外付けカバーは、前記容器の側周上部に着脱されるカバー体を構成部材に含み、
前記蓋は、前記カバー体に装着されており、
前記カバー体は、上面視で考えて前記回転中心に直交する鉛直面上で該蓋に上方から重なる蓋係止部と、前記蓋係止部を前記蓋の上方から退避させる係止解除操作を行うための操作部とを設けられており、
前記蓋係止部及び前記操作部は、前記出口よりも前記鉛直面に沿った方向の一方側に配置されており、
前記飲料流路の外側壁面と一体に前記飲み口が設けられており、
前記飲料流路は、前記カバー体に対して上下方向に抜き差し可能に設けられ、かつ上面視で考えて前記出口の一端側を前記回転中心に沿った一方向側に向ける第１の差込向きと、前記回転中心に沿った他方向側に向ける第２の差込向きとを選択可能に設けられている請求項２に記載の飲料容器用栓体。
【請求項４】
前記飲料流路は、上面視で考えて前記出口の一端側を前記回転中心に直交する方向に向ける第３の差込向きを選択可能に設けられている請求項３に記載の飲料容器用栓体。
【請求項５】
前記外付けカバーは、上面視で考えて前記出口と前記回転中心に直交する向きに並ぶ位置にハンドルを備え、前記ハンドルは、前記回転中心に沿った方向に開放した指差し孔を形成するように設けられている請求項１から４のいずれか１つに記載の飲料容器用栓体。
【請求項６】
前記飲料流路は、前記容器を傾けて飲料を流出させるようになっている請求項１から５のいずれか１つに記載の飲料容器用栓体。
【請求項７】
前記外付けカバーは、上面視で考えて前記回転中心に直交する鉛直面上で該蓋に上方から重なる蓋係止部を設けられており、前記蓋係止部は、上面視で考えて前記出口を間に置いた前記回転中心の反対側に配置されている請求項１から６のいずれか１つに記載の飲料容器用栓体。
【発明の詳細な説明】
【技術分野】
【０００１】
この発明は、容器内と外部間に通じる飲料流路を設けられた外付けカバーと、この外付けカバーにヒンジを介して装着された蓋とを備えた飲料容器用栓体に関する。
【背景技術】
【０００２】
携帯式の飲料容器では、コップを用意せずとも飲料を摂取することができるよう、飲み口を設けられた栓体が採用されている。この種の飲料容器用栓体の外付けカバーは、上面に開放された飲料流路の出口から外側に連続する飲み口を設けられている。飲料流路は、容器内と外部間に通じる流路となり、その流路の中間、出口といった適宜の箇所で密封されるようになっている。蓋は、外付けカバーに設けられた蓋係止部により前記出口及び飲み口を覆った閉位置に留められ、外付けカバーに設けられた回り止めにより前記出口及び飲み口の上方から外れた開放位置に留められるようになっている。
【０００３】
この種の栓体の一例を図１３に示すように、外付けカバー１００は、容器１１０の側周上部に着脱されるカバー体１０１を構成部材に含む。飲料流路１０２は、カバー体１０１に対して上下方向に抜き差し可能に設けられている。蓋１２０は、カバー体１０１に装着されている。カバー体１０１は、蓋１２０に上方から重なる蓋係止部１０３と、この蓋係止部１０３を蓋１２０の上方から退避させる係止解除操作を行うための操作部１０４とを設けられている。上面視で考えて蓋１２０の回転中心ＣＬと直交する方向が前後方向となり、前方向は、飲料流路１０２の出口１０５から蓋係止部１０３に接近する方向となる。飲料流路１０２は、蓋係止部１０３よりも高く突出しており、特に出口１０５の前端Ｐｆ側で高くなっている。すなわち、飲料流路１０２は、上面視で考えて出口１０５の前端Ｐｆ側に飲料を導く形態になっている。飲み口１０６は、出口１０５の前端Ｐｆ側から外側に連続するように設けられている。このため、使用者は、前方から飲み口１０６へ唇を付ける。一般に、飲み口１０６の水平断面形状は、唇を沿わせ易くするため、円、楕円、円弧、半楕円等の曲率をもった曲面状になっている。容器１１０の下部を持ち上げるようにして容器１１０を上部側から前方に傾けると、容器１１０内の飲料が飲料流路１０２に流れ込み、出口１０５から流出させられる。蓋係止部１０３は、上面視で考えて蓋１２０に上方から重なるようになっている。蓋係止時、蓋１２０が片側に傾くのを避けるため、蓋係止部１０３は、回転中心ＣＬに直交する鉛直面上で蓋１２０に重なるように配置されている。通常、蓋係止部１０３は、出口１０５を間に置いて回転中心ＣＬの反対側に配置されている。蓋係止部１０３を回転中心ＣＬ側に配置することもあるが、蓋１２０の反回転中心ＣＬ側（すなわち、前方側）の端が浮き易いためである。蓋係止部１０３及び操作部１０４は、両部１０３、１０４を接近配置又は同一部材に設けるため、出口１０５よりも前後一方側に配置されている。これにより、機構の複雑化が避けられている。飲み口１０６は、飲料流路１０２の外側壁面と一体に設けられている。カバー体１０１を容器１１０から外すと、飲料流路１０２とカバー体１０１を分離し、飲料流路１０２や飲み口１０６を容易に洗浄することができる（例えば、特許文献１）。
【０００４】
図１２に示した例は、出口１０５が口内に含むことのできない大きさであるが、口内に含める大きさとした飲料容器用栓体もある。この種の飲料流路では、出口を形成する末端路の側周全周が飲み口になる。その末端路は、前方側に傾斜する形態になっている。このため、使用者は、自ずと、前方から飲み口部分を口に含む。この種の飲料流路の一例として、ストロー管が挙げられる。図１４に例示するように、ストロー管１３１のうち、容器１４０内に挿入する部分は、可撓性チューブ１３２からなる。可撓性チューブ１３２は、容器１４０の底まで確実に届く長さをもつため、底に付いた状態で適宜の方向に曲がるようになっている。操作部１３３により蓋係止部１３４の係止が解除され、蓋１５０が開放位置に停止させられると、ストロー管１３１は、外付けカバー１３０の上方に突出する。この突出部分は、口に含む飲み口部１３５となっている。飲み口部１３５は、前方側に傾斜した突出形態を保つ硬質管路になっている（例えば、特許文献２）。
【先行技術文献】
【特許文献】
【０００５】
【特許文献１】特開２００３−２１２２５９号公報
【特許文献２】特開２００４−１５４４９４号公報
【発明の概要】
【発明が解決しようとする課題】
【０００６】
従来のように、飲料流路の出口の後方にヒンジを配置し、飲み口に前方から唇を付けて飲料を摂取する飲料容器用栓体は、飲料を摂取するときに蓋で視界が邪魔されることがある。すなわち、図１３から明らかなように、容器１１０を前方側に傾けて飲料を飲料流路１０２から流出させる構造の場合、容器１１０の残量が少なくなると、底側を大きく持ち上げることになり、開放位置に停止させられた蓋１２０と視界の左右中央で面することになり、蓋１２０が目障りになる。ストロー管の場合、通常、容器を前方側に大きく傾けることはないが、使用者が首を前傾させて飲み口部分を口に含む場合、図１４から明らかなように、やはり視界の左右中央で蓋１５０と面することになり、蓋１５０が目障りになる。
【０００７】
そこで、この発明の課題は、飲料容器用栓体の外付けカバーに設けられた飲み口に唇を付けて飲料を摂取するとき、外付けカバーにヒンジを介して装着された蓋で視界を邪魔され難くすることにある。
【課題を解決するための手段】
【０００８】
上記課題を解決するため、この発明は、容器内と外部間に通じる飲料流路を設けられた外付けカバーと、前記外付けカバーにヒンジを介して装着された蓋とを備え、前記外付けカバーは、上面に開放された前記飲料流路の出口から外側に連続する飲み口を設けられており、前記蓋は、前記外付けカバーに設けられた蓋係止部により前記出口及び前記飲み口を覆った閉位置に留められ、前記外付けカバーに設けられた回り止めにより前記出口及び前記飲み口の上方から外れた開放位置に留められる飲料容器用栓体において、上面視で考えて前記出口のうち前記蓋の回転中心に沿った方向の端側から飲料を摂取可能であり、かつ前記出口の端側から前記飲み口に唇を付けるように使用方向を制限する構造に設けられていることを特徴とする構成を採用したものである。ここで、上下方向の概念は、飲料容器用栓体が水平の状態における鉛直方向をいう。
【０００９】
この発明の構成によれば、上面視で考えて飲料流路の出口のうち蓋の回転中心に沿った方向の端側から飲料を摂取可能であり、かつ前記出口の端側から前記飲み口に唇を付けるように使用方向を制限する構造に設けられているため、使用者は、自ずと、蓋の回転中心に沿った方向の出口の端側から飲み口に唇を付けて飲料を摂取するようになる。蓋の回転中心に沿った方向の出口の端側から飲み口に唇を付けた状態のとき、蓋は、出口及び飲み口の上方から外れた開放位置に停止させられているため、視界の左右片側に寄った位置にある。したがって、視界の左右中央で蓋と面することはなく、蓋で視界を邪魔され難い。
【００１０】
具体的には、前記飲料流路は、上面視で考えて前記出口の前記回転中心に沿った方向の一端側に飲料を導く形態に設けられていることが好ましい。
【００１１】
飲料流路の形態によって上述のように使用方向を制限することができる。なお、出口の一端側から飲料を摂取可能にするため、前記飲み口を出口の一端側から外側に連続するように設けることは勿論である。
【００１２】
特に、前記外付けカバーは、前記容器の側周上部に着脱されるカバー体を構成部材に含み、前記蓋は、前記カバー体に装着されており、前記カバー体は、上面視で考えて前記回転中心に直交する鉛直面上で該蓋に上方から重なる蓋係止部と、前記蓋係止部を前記蓋の上方から退避させる係止解除操作を行うための操作部とを設けられており、前記蓋係止部及び前記操作部は、前記出口よりも前記鉛直面に沿った方向の一方側に配置されており、前記飲料流路の外側壁面と一体に前記飲み口が設けられており、前記飲料流路は、前記カバー体に対して上下方向に抜き差し可能に設けられ、かつ上面視で考えて前記出口の一端側を前記回転中心に沿った一方向側に向ける差込向きと、前記回転中心に沿った他方向側に向ける差込向きとを選択可能に設けられていることが好ましい。
【００１３】
上述のように蓋係止時の傾き防止、機構の複雑化を回避、洗浄の容易化を図ることができる。この場合、使用者は、左右いずれか一方側から操作部を操作することになる。出口の一端側に飲料を導く飲料流路の向きが固定だと、使用方向の制限に従って出口の一端側を手前に向けたとき、利き手と逆側での操作を強いられる使用者も生じ得る。飲料流路をカバー体に対して上下方向に抜き差し可能に設ける場合、飲料流路の向きを適宜に選択可能に設けることが可能である。これを利用し、予め、上面視で考えて出口の一端側を回転中心に沿った一方向側に向ける第１の差込向きと、回転中心に沿った他方向側に向ける第２の差込向きとを選択可能に設けておけば、使用者は、出口の一端側を手前に向けたときに利き手で操作し易くなるように飲料流路の差込向きを選択することができる。このため、量産品としての汎用性に優れる。
【００１４】
前記飲料流路は、上面視で考えて前記出口の一端側を前記回転中心に直交する方向に向ける第３の差込向きを選択可能に設けられていることがより好ましい。ここで、第３の差込向きは、出口の一端側を蓋側と反対側に向ける方向である。
【００１５】
係る第３の差込向きを選択可能にしておけば、量産品として従来の使用態様を好む使用者にも対応することができる。
【００１６】
前記外付けカバーは、上面視で考えて前記出口と前記回転中心に直交する向きに並ぶ位置にハンドルを備え、前記ハンドルは、前記回転中心に沿った方向に開放した指差し孔を形成するように設けられていることが好ましい。
【００１７】
飲料流路の出口とハンドルの位置関係、及び指差し孔の開放方向は、一般的なマグカップやビールジョッキにおける容器口とハンドルの位置関係、及び指差し孔の開放方向に類する。したがって、使用者が飲料を摂取するとき、自ずと、前記出口の端側を手前に向けることを理解する。このため、ハンドルによって上述のように使用方向を制限することができる。
【００１８】
前記飲料流路は、前記容器を傾けて飲料を流出させるようになっているもの、又はストロー管のいずれでもよい。
【００１９】
この発明は、容器を傾けて飲料を流出させる飲料流路を備えたものに好適である。すなわち、飲料残量が少なくなると、前記出口の端側に容器を大きく傾けることになる。このとき、容器を首に対して大きく傾けても、従来例のようにヒンジの軸受部が鼻先に触れることはない。また、特許文献２のようにヒンジの軸受部と出口の間に突出する蓋係止部を採用しても、その蓋係止部が鼻先に触れることはない。
【００２０】
また、この発明は、前記外付けカバーは、上面視で考えて前記回転中心に直交する鉛直面上で該蓋に上方から重なる蓋係止部を設けられており、前記蓋係止部は、上面視で考えて前記出口を間に置いた前記回転中心の反対側に配置されているものに好適である。
【００２１】
上述のように蓋の反回転中心側を浮き難くすることができる。また、上述の使用方向に従うと、蓋係止部に唇が触れ難くなるため、蓋係止部の汚れを防止することができる。ひいては、出口の蓋係止部側で突出高さを大きくして蓋係止部と唇の接触を防止する必要がなく、飲料容器用栓体の全高の嵩張りを避けることができる。
【発明の効果】
【００２２】
上述のように、この発明は、飲料容器用栓体の外付けカバーに設けられた飲み口に唇を付けて飲料を摂取するとき、外付けカバーにヒンジを介して装着された蓋が視界の左右片側に寄った位置に停止し、視界の左右中央で蓋下面全体と面することがないため、蓋で視界を邪魔され難くすることができる。
【図面の簡単な説明】
【００２３】
【図１】（ａ）はこの発明に係る第１実施形態の正面図、（ｂ）は第１実施形態の右側面図
【図２】第１実施形態を蓋が開放停止位置に留められた状態で示す全体斜視図
【図３】第１実施形態の縦断正面を蓋が開放位置に留められた状態で示す断面図
【図４】第１実施形態の縦断正面を蓋が閉位置に留められた状態で示す断面図
【図５】第１実施形態の上面視を蓋が開放位置に留められた状態で示す平面図
【図６】この発明に係る第２実施形態を蓋が開放位置に留められた状態で示す平面図
【図７】（ａ）はこの発明に係る第３実施形態を飲料流路が第１の差込向きの状態で示す平面図、（ｂ）は第３実施形態を飲料流路が第２の差込向きの状態で示す平面図
【図８】第３実施形態を飲料流路が第１の差込向きの状態で示す平面図
【図９】第３実施形態を外付けカバーから飲料流路を分離した状態で示す分解斜視図
【図１０】第３実施形態の縦断側面を示す要部断面図
【図１１】第３実施形態を蓋が開放停止位置に留められた状態で示す全体斜視図
【図１２】この発明に係る第４実施形態を蓋が開放停止位置に留められた状態で示す全体斜視図
【図１３】従来例を示す全体斜視図
【図１４】別の従来例を示す全体斜視図
【発明を実施するための形態】
【００２４】
以下、この発明の第１実施形態を添付図面に基いて説明する。第１実施形態に係る飲料容器用栓体（以下、単に「第１実施形態」と称する）は、図１〜図４に示すように、上面に開放口を設けられた容器１用のものである。第１実施形態は、容器１内と外部間に通じる飲料流路２を設けられた外付けカバー３と、外付けカバー３にヒンジを介して装着された蓋４とを備える。外付けカバー３は、上面に開放された飲料流路２の出口５から外側に連続する飲み口６を設けられている。蓋４は外付けカバー３に設けられた蓋係止部７により出口５及び飲み口６を覆った閉位置に留められ、外付けカバー３に設けられた回り止め８により出口５及び飲み口６の上方から外れた開放位置に留められるようになっている。
【００２５】
具体的には、外付けカバー３は、容器１の側周上部に着脱されるカバー体９を構成部材に含む。飲料流路２は、カバー体９に対して上下に抜き差し可能に設けられている。蓋４は、カバー体９に装着されている。飲料流路２の外側壁面と一体に飲み口６が設けられている。
【００２６】
蓋４及びカバー体９には、ヒンジの軸部材１０を水平に支持する軸受部１１，１２が設けられている。軸部材１０は、蓋４の回転中心ＣＬ１となる。回り止め８は、軸受部１２の外側に設けられている。蓋４を開回転させられると、蓋４の回転中心ＣＬ１側の端辺部が回り止め８を弾性的に乗り越える。その結果、蓋４の自重に抗して蓋４の閉回転が回り止め８により阻止された状態になる。
【００２７】
図１、図５に示すように、カバー体９は、上面視で考えて蓋４の回転中心ＣＬ１に直交する鉛直面ＶＰ上で蓋４に上方から重なる蓋係止部７と、蓋係止部７を蓋４の上方から退避させる係止解除操作を行うための操作部１３とを設けられている。蓋係止部７は、閉位置の蓋４に上方から重なる部分である。蓋係止部７は、上面視で考えて出口５を間に置いた回転中心ＣＬ１の反対側に配置されている。
【００２８】
蓋係止部７は、開放位置から閉回転させられた蓋４が閉位置を過ぎると自動的に閉位置を超える開回転を規制する状態になり、操作部１３に解除操作を与えられると、前記規制を解除するようになっている。操作部１３は、上面視で考えてカバー体９に対して回転中心ＣＬ１に直交する方向に往復スライドする押し操作部材に設けられている。蓋係止部７は、押し操作部材の上面に設けられている。このため、蓋係止部７及び操作部１３は、出口５よりも鉛直面ＶＰに沿った方向の一方側に配置される。図３中に実線で示すように、押し操作部材が待機位置にある状態で蓋４が開放位置から閉回転させられると、蓋４の係合部１４が蓋係止部７の上端に接触する。この接触で生じた分力で押し操作部材が復帰ばね１５に抗して押し込まれる。やがて、蓋４が閉位置を過ぎ、かつ係合部１４が蓋係止部７の上端を通過すると、図４に示すように、押し操作部材が復帰ばね１５の反発で待機位置に向かって復帰させられ、蓋係止部７が係合部１４の上方に重なる。これにより、蓋４が閉位置に留められる。この状態で復帰ばね１５に抗して操作部１３を押し込めば、蓋係止部７を係合部１４の上方から外し、蓋４を開回転させることができる。
【００２９】
なお、特許文献２のように、蓋係止部及び操作部を出口よりも鉛直面に沿った方向の他方側に配置することもできる。蓋係止部や操作部は、蓋係止部材と操作部材との連動により蓋係止部材が蓋を規制する機構にすることもできる。蓋係止部は手動で蓋に掛ける機構にすることもできる。押し操作部材は、特許文献１のようなシーソー式に設けることもできる。
【００３０】
カバー体９の外殻は、復帰ばね１５等を内側に組み込むため、内カバー部材と外カバー部材とに分割されている。両カバー部材を結合一体化した状態で、カバー体９の側周内側を容器１の側周上部に螺着脱することが可能になっている。
【００３１】
図１、図２、図５に示すように、飲料流路２は、上面視で考えて出口５の回転中心ＣＬ１に沿った方向の一端Ｐ１側に飲料を導く形態に設けられている。出口５の一端Ｐ１は、最も回転中心ＣＬ１に沿った方向の端である。
【００３２】
より具体的には、図４、図５に示すように、飲料流路２の中間管路に絞り口が設けられている。蓋４が閉位置に停止させられた状態で、蓋４の下面に設けられたパッキン１６が飲料流路２の絞り口の周縁に押し付けられる。これにより、飲料流路２が密封される。また、塵埃が出口５へ侵入することを防止するため、パッキン１６は、飲料流路２の末端全周にも押し付けられるようになっている。
【００３３】
飲料流路２は、蓋４が開放位置にある状態で容器１と外部間を連通させる単純な流路からなる。このため、容器１を傾けると、飲料を流出させることができる。なお、飲料流路２は、蓋４が開放位置にある状態で容器１と外部間を連通させる流路であればよく、例えば、蓋４の開閉に連動又は別途の手動操作で開閉する栓部材を組み込むことができる。
【００３４】
図１、図２、図５に示すように、出口５を形成する飲料流路２の末端は、カバー体９から上下方向に沿って突出している。この末端は、一端Ｐ１のところで最も高く突出し、一端Ｐ１から反対側の他端Ｐ２に向かって回転中心ＣＬ１に沿った方向に近づくに連れて次第に低くなっている。飲み口６は、出口５の一端Ｐ１側から外側に連続するように設けられている。
【００３５】
出口５を形成する末端の突出高さが一端Ｐ１側で高く、他端Ｐ２側に唇を付けることが困難な飲料流路２の形態から、出口５の一端Ｐ１側から飲み口６に唇を付けるように使用方向を制限することができる。
【００３６】
なお、出口５は、上面視で上下方向に中心軸をもつ円環状になっている。出口５は、ストロー管のように使用者の口内に含まず、下唇を付けることを前提とした大きさになっている。飲み口６の水平断面形状は、前記の円環状に沿った円弧状になっている。飲料流路２の肉厚が無駄に厚くなるのを避けつつ、唇を沿わせ易くするためである。
【００３７】
飲み口６は、飲料流路２の外側壁面の一端Ｐ１側で末端に沿って凹む形態になっている。その結果、飲み口６は、容器１を傾けて飲料を流出させたときの水切りになる。このため、出口５の一端Ｐ１側へ飲料を導くことを使用者に理解させ易い。
【００３８】
また、外付けカバー３は、上面視で考えて回転中心ＣＬ１に直交する向きに並ぶ位置にハンドル１７を備えている。ハンドル１７は、回転中心ＣＬ１に沿った方向に開放した指差し孔１８を形成するように設けられている。使用者が飲料を摂取するとき、ハンドル１７を左手又は右手で把持し、自ずと、出口５の一端Ｐ１側又は他端Ｐ２側を手前に向けることを理解する。操作部１３は、ハンドル１７を握った状態で操作し易いよう、ハンドル１７の上方にあることが好ましい。
【００３９】
飲料流路２とカバー体９は、上下方向及びカバー体９の螺着脱時の位置関係を決める凹凸係合構造を有する。この凹凸係合構造による仮組み状態においては、出口５の両端Ｐ１，Ｐ２を結ぶ方向が回転中心ＣＬ１に沿った方向になっている。飲料流路２は、カバー体９を螺着する間も凹凸係合構造により仮組み時の向きに維持される。
【００４０】
カバー体９を螺着すると、外付けカバー３が容器１に装着された組立状態になる。この組立状態では、飲料流路２と容器１との間は、飲料流路２に装着されたゴムパッキンで密封される。また、飲料流路２は、容器１内と外部間に通じる流路となる。出口５の一端Ｐ１側は、回転中心ＣＬ１に沿った方向の一方側を向く。したがって、上面視で考えて出口５のうち回転中心ＣＬ１に沿った方向の一端Ｐ１側から飲料を摂取可能である。この組立状態が得られる限り、凹凸係合構造や、飲料流路の抜き差し構造、カバー体の装着構造を適宜に採用すればよい。
【００４１】
飲料を摂取しようとする使用者は、飲料流路２の形態から出口５の一端Ｐ１側から飲み口６に唇を付けることを理解する。また、使用者は、出口５の一端Ｐ１側から飲み口６に唇を付ける正規の使用方向をハンドル１７、指差し孔１８の向きから判別し易い。また、容器１を傾けて飲料を摂取する使用方法を承知した使用者は、水切りとなる飲み口６の凹み形態から正規の使用方向を理解する。これら使用方向を制限する構造に従い、使用者が出口５の一端Ｐ１側から飲み口６に唇を付けて飲料を摂取するとき、視界の正面は鉛直面ＶＰとなる。このとき、出口５及び飲み口６の上方から外れた開放位置に停止させられた蓋４は、視界の左右片側に寄った位置にあり、視界の左右中央で蓋と面することはない。したがって、第１実施形態は、飲料を摂取するとき、蓋４で視界を邪魔され難い。
【００４２】
また、容器１内の飲料残量が少なくなり、容器１を出口５の一端Ｐ１側に大きく傾けて飲料を流出させても、ヒンジの軸受部１１，１２が鼻先に触れることはない。したがって、第１実施形態は、ヒンジの軸受部１１，１２が汚れ難い。
【００４３】
また、蓋係止部７は、上面視で考えて出口５を間に置いた回転中心ＣＬ１の反対側に配置されている。このため、飲料を摂取するとき、蓋係止部７の上方を経て飲み口６に唇を付けることがない。したがって、第１実施形態は、蓋係止部７に唇が触れ難く、蓋係止部７の汚れを防止することができる。ひいては、出口５の蓋係止部７側で突出高さを大きくして蓋係止部７と唇の接触を防止する必要がない。したがって、第１実施形態は、出口５を上方から覆う蓋４を高くする必要もなく、飲料容器用栓体の全高の嵩張りを避けることができる。
【００４４】
なお、飲料流路の突出部分からなる末端流路の水平断面形態から使用方向を制限することもできる。図２、図５を参照して一例を挙げると、飲料流路の末端流路のうち、上面視で考えて出口の他端Ｐ２を含んだ流路壁部は、曲率をもたない平坦な形状とすることができる。これにより、飲料流路の末端流路に対して出口の他端Ｐ２側から唇を付け難くなる。このため、使用者は、下唇を沿わせ易い出口の一端側から唇を付けることを理解する。また、別例として、飲料流路２の末端流路は、上面視で考えて、出口の一端Ｐ１側で回転中心ＣＬ１に沿った方向に短軸をもつ半楕円環状とし、出口の他端Ｐ２を含んだ流路壁部を前記半楕円環状よりも曲率の緩い扁平又は曲率のない平坦な形状とし、飲み口の水平断面形状は前記半楕円環状に沿うように形成することができる。この別例では、出口の一端Ｐ１側で飲料を流出させ易くなるため、使用者は、出口の一端側から唇を付けることを理解する。
【００４５】
次に、第２実施形態を図６に基いて説明する。以下、第１実施形態との相違点を述べる。第２実施形態は、蓋４の回転中心ＣＬ１の位置を上面視で考えて図示のように変更したものとなっている。蓋係止部７は、回転中心ＣＬ１に直交する鉛直面ＶＰ´上で蓋４に上方から重なる位置にある。この配置の結果、出口５の一端Ｐ１側が水平に広く開放されており、唇を付け易くなっている。このため、使用者は、出口の一端側から唇を付けることを理解する。この一例のように、蓋係止部７と回転中心ＣＬ１の上面視における位置関係によって正規の使用方向に制限することができる。
【００４６】
第３実施形態を図７〜図１１に基いて説明する。図７、図８に示すように、第３実施形態の飲料流路２１は、上面視で考えて出口２２の一端Ｐ１側を回転中心ＣＬ１に沿った一方向側に向ける第１の差込向きＤ１と、回転中心ＣＬ１に沿った他方向側に向ける第２の差込向きＤ２と、回転中心ＣＬ１に直交する方向に向ける第３の差込向きＤ３とを選択可能に設けられている。
【００４７】
具体的には、図７〜図１０に示すように、飲料流路２１とカバー体２３を仮組みするための凹凸係合構造は、飲料流路２１の側周に設けられた凹部２４，２５，２６と、カバー体２３の側周内側に設けられた凸部２７と、カバー体２３の側周内側に設けられた溝状の凹係合部２８と、飲料流路２１の側周に設けられた鍔状の凸係合部２９とで構成されている。
【００４８】
飲料流路２１をカバー体２３の下方から上下方向に差し込むことにより、凸係合部２９が凹係合部２８に嵌り込んで仮組み状態となる。この仮組み状態では、凸係合部２９と凹係合部２８の内壁面の係合により、飲料流路２１がカバー体２３に水平に保持され、飲料流路２１とカバー体２３の上下方向の位置関係、及びカバー体２３の螺進回転中心である上下方向軸ＣＬ２回りの位置関係が決まる。
【００４９】
３ヶ所の凹部２４，２５，２６は、同一高さで上下方向軸ＣＬ２回りの９０度間隔に設けられている。使用者が飲料流路２１を下方から上下方向に差し込むときに、凹部２４，２５，２６のいずれか１つを選択し、下方から凸部２７を嵌めることが可能になっている。第１の凹部２４を凸部２７に嵌めると、出口２２の一端Ｐ１側を回転中心ＣＬ１に沿った一方向側に向ける第１の差込向きＤ１にすることができる。第２の凹部２５を凸部２７に嵌めると、出口２２の一端Ｐ１側を回転中心ＣＬ１に沿った他方向側に向ける第２の差込向きＤ２にすることができる。第３の凹部２６を凸部２７に嵌めると、出口２２の一端Ｐ１側を回転中心ＣＬ１に直交する方向に向ける第３の差込向きＤ３にすることができる。なお、差込向きを選択可能な仮組みが得られる限り、適宜の凹凸係合構造を採用すればよい。
【００５０】
図８、図１１に示すように、外付けカバー３０の上面及び蓋３１は、上下方向軸ＣＬ２を含む鉛直面ＶＰを境として対称形になっている。この対称形は、図７に示すように、差込向きＤ１，Ｄ２のいずれを選択しても同じように蓋３１で視界を邪魔され難くするためである。対称形にする必要はなく、差込向きＤ１，Ｄ２のいずれを選択しても出口２２の一端Ｐ１側から唇を付けることが可能であればよい。
【００５１】
図７、図８、図１０に示すように、飲料流路２１の絞り口の周縁に形成されたシール面３２と、蓋３１に設けられたパッキン３３は、いずれの差込向きＤ１〜Ｄ３を選択してもシール面３２の全周にパッキン３３を押し付けることが可能な関係に設けられている。これにより、差込向きＤ１〜Ｄ３に応じてパッキン３３の装着方向を変更する蓋仕様を避けることができる。単純な設計とするには、シール面３２と、蓋３１が閉位置にあるときのパッキン３３の中心軸ＣＬ３を一致させればよい。
【００５２】
パッキン３３と飲料流路２１の末端全周は、いずれの差込向きＤ１〜Ｄ３を選択しても飲料流路２１の末端全周にパッキン３３を押し付けることが可能な関係に設けられている。これにより、差込向きＤ１〜Ｄ３に応じてパッキン３３の装着方向を変更する蓋仕様を避けることができる。
【００５３】
例えば、飲料流路２１の末端全周は、蓋３１が閉位置にあるときの中心軸ＣＬ３を中心とした円環状であって、中心軸ＣＬ３方向に同一高さに突出していることが好ましい。これにより、いずれの差込向きＤ１〜Ｄ３を選択してもパッキン３３と飲料流路２１の末端全周との接触関係を同じにすることができる。
【００５４】
第１実施形態のように飲料流路２１の末端の突出高さを変化させる場合、差込向きＤ１〜Ｄ３に応じてパッキン３３の装着方向の変更を可能にすれば、末端全周にパッキン３３を押し付けることができる。装着方向の変更を避けるため、パッキン３３の末端全周との対向部分である鍔部３４と蓋３１の外殻部材３５との間に全周に亘って同じ間隔の空隙３６を設定し、鍔部３４の径方向幅を差込向きＤ１〜Ｄ３によって異なる接触関係の差を吸収可能なように冗長に設けることもできる。
【００５５】
蓋３１が閉位置にあるときの中心軸ＣＬ３は、上下方向軸ＣＬ２とが一致するようになっている。上述の外付けカバー３０の対称性を実現すると共にカバー体２３の上面中央に出口２２を配置するためである。図７、図８、図１１から明らかなように、上述の飲料流路２１の末端全周の円環状化と相俟って、結果的に、飲み口３７の凹み範囲を無視し、出口２２の他端Ｐ２側や回転中心ＣＬ１に直交する端側から飲料流路２１の突出部分の外側壁面に下唇を付けることが可能になっている。
【００５６】
そこで、図７、図８に示すように、飲料流路２１は、下方から上方に向かって末端に近づくほどに出口２２の一端Ｐ１側に管路の水平断面積を広くした末端流路３８を設けられている。この一例のように、出口２２の一端Ｐ１側に飲料を流れ易くされた末端流路３８の形態から、容器１を傾けて飲料を摂取する使用方法を承知した使用者は、出口２２の一端Ｐ１側に飲料を導くことを理解する。したがって、末端流路３８の形態によって正規の使用方向に制限することができる。係る末端流路３８の形態は、飲み口３７を外付けカバー３０の上面に突出させない場合にも好適である。
【００５７】
ハンドル１７による使用方向の制限を併用すると、差込向きＤ１，Ｄ２のいずれを選択しても、誤って回転中心ＣＬ１に直交する端側から飲料流路２の外側壁面に唇を付けることは生じ難くなる。差込向きＤ１又は差込向きＤ２の場合、出口２２の他端Ｐ２側から下唇を付けて飲料を摂取したとしても、蓋３１で視界を邪魔され難いことに変わりはない。したがって、差込向きＤ１又は差込向きＤ２を選択可能にする場合、ハンドル１７を設けることが特に好ましい。
【００５８】
上述のような第３実施形態において、飲料が流出し易い正規の使用方向を前提としたとき、右利きの使用者の場合、図７（ａ）に示すように差込向きＤ１を選択すれば、操作部１３を右側から操作することができるので、操作性がよい。左利きの使用者の場合、図７（ｂ）に示すように差込向きＤ２を選択すれば、操作部１３を左側から操作することができるので、操作性がよい。
【００５９】
なお、押し操作部材の解除側への誤動作を防止するためのロック機構が外付けカバー３０に設けられている。図８、図１１から明らかなように、そのロック解除操作を行うためのロック操作部３９は、操作部１３と同じく出口２２よりも鉛直面ＶＰに沿った方向の一方側に配置されている。このため、使用者の利き手に応じて差込向きを選択すれば、ロック操作部３９の操作性もよくすることができる。
【００６０】
従来どおりの使用態様を好む使用者は、図８、図１１に示すように、差込向きＤ３を選択することができる。なお、差込向きＤ３を選択時にハンドル１７が邪魔にならないようにすることを使用方向の制限の確実性よりも優先する場合、ハンドル１７を省略したり、ハンドル１７を着脱式にすればよい。
【００６１】
第１〜第３実施形態は、飲料流路の出口を形成する末端を上面視で考えて上下方向の中心軸をもつように設けたが、係る中心軸を傾けた飲料流路の形態とすることにより、正規の使用方向に制限することもできる。その一例として第４実施形態を図１２に基いて説明する。
【００６２】
第４実施形態は、飲料流路の出口４１を形成する末端全周が外付けカバー４２の上面に突出している。飲料流路の突出部分からなる末端流路４３の中心軸ＣＬ４は、外付けカバー４２の上下方向軸ＣＬ２に対して出口４１の一端Ｐ１に向かって交差角θを有する。このため、使用者は、出口４１の一端Ｐ１側に飲料を導くことを理解する。したがって、末端流路４３の形態から正規の使用方向に制限することができる。なお、押し操作部材４４を外部取付が可能なシーソー式としたため、外付けカバー４２の内部に組み込む部材がない。このため、外付けカバー４２の外殻が一部材からなり、飲料流路全体が外付けカバー４２の外殻と一体に射出成形されている。
【００６３】
ストロー管式のように出口を口に含んで飲料を摂取するようになった飲料流路は、飲み口の凹み形態や末端流路の水平断面変化を与え難い。したがって、この種の飲料流路では、末端流路４３のように、専ら飲料流路の突出部分の傾きで正規の使用方向に制限することが好ましい。
【符号の説明】
【００６４】
１  容器
２，２１  飲料流路
３，３０，４２  外付けカバー
４，３１  蓋
５，２２，４１  出口
６，３７  飲み口
７  蓋係止部
８  回り止め
９，２３  カバー体
１０  軸部材
１１，１２  軸受部
１３  操作部
１４  係合部
１５  復帰ばね
１６，３３  パッキン
１７  ハンドル
１８  指差し孔
２４，２５，２６  凹部
２７  凸部
２８  凹係合部
２９  凸係合部
３２  シール面
３４  鍔部
３５  外殻部材
３６  空隙
３８，４３  末端流路
３９  ロック操作部
４４  押し操作部材
【図１】
2010168059.tif 000003
【図２】
2010168059.tif 000004
【図３】
2010168059.tif 000005
【図４】
2010168059.tif 000006
【図５】
2010168059.tif 000007
【図６】
2010168059.tif 000008
【図７】
2010168059.tif 000009
【図８】
2010168059.tif 000010
【図９】
2010168059.tif 000011
【図１０】
2010168059.tif 000012
【図１１】
2010168059.tif 000013
【図１２】
2010168059.tif 000014
【図１３】
2010168059.tif 000015
【図１４】
2010168059.tif 000016